(57)【特許請求の範囲】
【請求項１】
床パネルと、この床パネルの上に位置して、複数枚の床暖房用のフローリングパネルとを備えた床暖房構造であって、
フローリングパネルと予め一体化して構成されその内部に温水を通す温水配管と、
床パネルの下面に固定され、温水配管に温水を供給する温水供給本管、および温水配管から排出される温水を回収する温水回収本管を備え、
温水配管は、フローリングパネルの裏面側に位置して温水供給本管から温水を供給する温水供給口と、この温水供給口から入った温水をフローリングパネルの内部に通して、フローリングパネルの全面を暖めるパネル用配管と、フローリングパネルの裏面側に位置してパネル用配管を通った温水を温水回収本管に排出する温水排出口とを備え、
床パネルは、前記温水配管の温水供給口及び温水排出口の下方に向かって貫通する貫通孔を備え、
温水供給口と温水供給本管との間には、貫通孔を通って両者を上下方向に連結する供給接続配管が形成され、
温水排出口と温水回収本管との間には、貫通孔を通って両者を上下方向に連結する回収接続配管が形成されていることを特徴とする床暖房構造。
【請求項２】
請求項１記載の床暖房構造において、
各フローリングパネルにおける温水配管の一方の端部は、該フローリングパネルの裏面側に開口する温水供給口及びこれに接続される供給接続配管を介して温水供給本管に接続されると共に、この温水配管の他方の端部は、該フローリングパネルの裏面側に開口する温水排出口及びこれに接続される回収接続配管を介して温水回収本管に接続されることにより、一本の温水供給本管及び一本の温水回収本管の間を各フローリングパネルにおける温水配管が並列状に配置されていることを特徴とする床暖房構造。
【請求項３】
建物躯体の床となる床パネルと、この床パネルの上に位置して、内部に温水を通す温水配管を有する複数枚の床暖房用のフローリングパネルと、床パネルの下に位置して温水配管に供給接続配管を介して温水を供給する温水供給本管と、床パネルの下に位置して温水本管を通った温水を回収接続配管を介して回収する温水回収本管とを備え、温水配管の温水供給口と温水供給本管との間には、床パネルを貫通する貫通孔を通って両者を上下方向に連結する供給接続配管が形成され、温水配管の温水排出口と温水回収本管との間には、床パネルを貫通する貫通孔を通って両者を上下方向に連結する回収接続配管が形成されている床暖房構造の施工方法であって、
床パネルに供給接続配管及び回収接続配管を通すための上下に貫通する貫通孔を形成する工程と、
前記貫通孔を形成した後、フローリングパネルを床パネル上に固定する工程と、
フローリングパネルを固定した後、床下から温水配管の一端を貫通孔を通した供給接続配管を介して温水供給本管に接続し、かつ、床下から温水配管の他端を貫通孔を通した回収接続配管を介して温水回収本管に接続する工程と、
温水配管を温水供給本管及び温水回収本管に接続した後、温水供給本管及び温水回収本管を床パネルの下面側に固定する工程とを備えたことを特徴とする床暖房構造の施工方法。
【発明の詳細な説明】
【０００１】
【発明の属する技術分野】
この発明は、建物躯体の床面に暖房機能を備えた床暖房構造およびその施工方法に関する。
【０００２】
【先行技術】
従来、床暖房は、最も一般的な低温放射暖房方式であって、床の内部に比較的細い温水配管または蒸気配管を通し、室内の床そのものの温度を上げて暖房するものである。
この温水配管等を使用する床暖房構造は、建物の別の場所に配置された温水等の発生装置に連結される一本の温水配管を使用するものである。この温水配管は、床面上をむらなく暖めることができるように、建物躯体である床パネルの上面に蛇行させた状態となるように配管されている。そして、この温水配管同士の連結等は、通常の配管作業と同様に配管工により行われるものである。そして、配管作業後、大工等により温水配管を床パネルとの間に挟み込むように、それらの上にフローリングパネルが形成されていた。
【０００３】
【発明が解決しようとする課題】
しかし、上記した従来の床暖房構造は、温水配管と、フローリングパネルとが別々に形成されているため、部品点数が多く、部品の取り扱いに手間がかかる上に、組立作業の工程数が多く、施工に手間がかかるという第一の問題点があった。
【０００４】
さらに、温水配管の配管作業は、通常、配管工が行い、フローリングパネルの取付作業は、通常、大工が行うため、工期が長くなるという第二の問題点があった。
また、温水配管は、温水発生装置から出た一本の配管の先端に次の配管をつなげて、連続した一本からなる直列状に配置していた。このため、温水発生装置から出た直後にある配管においては、温水の温度が高いが、次第に温水配管の内部を流れていくうちに、放熱し、最後の方では、温水の温度が低くなった。これにより、温水配管の位置により、温水配管の温度差が発生しやすく、床面の温度ムラが発生しやすいという第三の問題点があった。
【０００５】
そこで、請求項１記載の発明は、上記した従来の技術の有する第一および第二の問題点に鑑みてなされたものであり、その目的とするところは、フローリングパネル内部に予め温水配管を設け、両者を一体としているため、部品点数を少なくし、部品の取り扱いも容易にすることができる上に、大工のみにより、施工することができて工期を短縮することができ、しかも各フローリングパネルの温水配管の接続作業が容易であり、また建物躯体の防水性を担保することができる床暖房構造を提供しようとするものである。
【０００６】
これに加え、請求項２記載の発明は、上記した従来の技術の有する第三の問題点に鑑みてなされたものであり、その目的とするところは、温水配管を並列状に配置したことにより、温水配管の温度差を小さくし、床面を均一に暖めることができる床暖房構造を提供しようとするものである。
【０００７】
請求項３記載の発明は、組立作業の工程数が少なく、容易に施工することができる床暖房構造の施工方法を提供しようとするものである。
【０００８】
【課題を解決するための手段】
本発明は、上記した目的を達成するためのものである。
請求項１記載の発明は、床パネル(11)と、この床パネル(11)の上に位置して、複数枚の床暖房用のフローリングパネル(10)とを備えた床暖房構造であって、フローリングパネル(10)と予め一体化して構成されその内部に温水を通す温水配管(20)と、床パネル(11)の下面に固定され、温水配管(20)に温水を供給する温水供給本管(30)、および温水配管(20)から排出される温水を回収する温水回収本管(40)を備え、温水配管(20)は、フローリングパネル(10)の裏面側に位置して温水供給本管(30)から温水を供給する温水供給口(21)と、この温水供給口(21)から入った温水をフローリングパネル(10)の内部に通して、フローリングパネル(10)の全面を暖めるパネル用配管(22)と、フローリングパネル(10)の裏面側に位置してパネル用配管(22)を通った温水を温水回収本管(40)に排出する温水排出口(23)とを備え、床パネル(11)は、前記温水配管(20)の温水供給口(21)及び温水排出口(23)の下方に向かって貫通する貫通孔(12)を備え、温水供給口(21)と温水供給本管(30)との間には、貫通孔(12)を通って両者を上下方向に連結する供給接続配管(31)が形成され、温水排出口(23)と温水回収本管(40)との間には、貫通孔(12)を通って両者を上下方向に連結する回収接続配管(41)が形成されていることを特徴とする。
【０００９】
なお、ここで、「温水を通す温水配管20」とあるが、特に温水配管(20)の内部を通す媒体は、温水に限定されるものではなく、他の高温の液体や気体等の媒体であっても良いものである。例えば、高温の蒸気等でも良いものである。
本発明は、フローリングパネル(10)の内部に温水を通す温水配管(20)を予め備えている。すなわち、温水配管(20)は、フローリングパネル(10)と予め一体化されている。このため、温水配管(20)をフローリングパネル(10)と別にした場合と比較して、部品点数を少なくすることができ、部品の管理や取り扱いを容易なものにすることができる。また、温水配管(20)がフローリングパネル(10)内にあるため、フローリングパネル(10)を床パネル(11)の上面に並べて固定するだけで、温水配管(20)も同時に並べて固定されたことになり、温水配管(20)のみを別途、並べて固定する場合と比較して組立作業の工程数も少なくすることができ、組立作業を容易にすることができる。
【００１０】
また、フローリングパネル(10)を固定するだけで、温水配管(20)の配置も終了するため、特別に配管作業専用の配管工により配管作業をする必要がなく、通常の大工のみによるフローリングパネル(10)の組立作業だけで済ませることができる。これにより、組立作業の工期を短縮することができる。
【００１１】
【００１２】
さらに、温水供給本管(30)及び温水回収本管(40)は、床パネル(11)の下面に固定されているため、万が一、温水供給本管(30)または温水供給本管(30)から湯が漏れるようなことがあっても、建物躯体である床パネル(11)を濡らすことを防止することができる。これにより、建物躯体の防水性を担保することができる。
【００１３】
また、未使用時等に温水供給本管(30)及び温水回収本管(40)の表面周囲に大気中の水蒸気が凝結して水滴が付くような、いわゆる結露が発生しても、それらが建物躯体である床パネル(11)の下に位置しているため、かかる結露水が建物躯体に浸入することを抑えることができ、建物躯体の防水性を担保することができる。
【００１４】
【００１５】
さらに、本発明は、フローリングパネル(10)の裏面側に温水供給口(21)を形成している。そして、床パネル(11)は、温水供給口(21)の下方に向かって貫通する貫通孔(12)を備えている。このため、床パネル(11)の下面に固定された温水供給本管(30)との間で、貫通孔(12)を介して供給接続配管(31)により上下方向に容易に両者を連結することができる。
【００１６】
また、本発明は、フローリングパネル(10)の裏面側に温水排出口(23)を形成している。そして、床パネル(11)は、温水排出口(23)の下方に向かって貫通する貫通孔(12)を備えている。このため、床パネル(11)の下面に固定された温水回収本管(40)との間で、貫通孔(12)を介して回収接続配管(41)により上下方向に容易に両者を連結することができる。
【００１７】
すなわち、フローリングパネル(10)を床パネル(11)に載置する前に温水供給口(21)及び供給接続配管(31)、また、温水排出口(23)及び回収接続配管(41)を接続することができる。これは、フローリングパネル(10)を床パネル(11)に載置する前なので、両者の取付作業は容易に行うことができる。そして、供給接続配管(31)及び回収接続配管(41)を連結したフローリングパネル(10)を床パネル(11)上に載置することができる。その際、供給接続配管(31)及び回収接続配管(41)は貫通孔(12)の中に入れた状態にすることができる。このような、フローリングパネル(10)を床パネル(11)の上に載置した状態においても、作業者は、床パネル(11)の下側から、貫通孔(12)からでた供給接続配管(31)及び回収接続配管(41)を温水供給本管(30)及び温水回収本管(40)にそれぞれ容易に接続することができる。
請求項２記載の発明は、上記した請求項１記載の特徴点に加え、各フローリングパネル(10)における温水配管(20)の一方の端部は、該フローリングパネル(10)の裏面側に開口する温水供給口(21)及びこれに接続される供給接続配管(31)を介して温水供給本管(30)に接続されると共に、この温水配管(20)の他方の端部は、該フローリングパネル(10)の裏面側に開口する温水排出口(23)及びこれに接続される回収接続配管(41)を介して温水回収本管(40)に接続されることにより、一本の温水供給本管(30)及び一本の温水回収本管(40)の間を各フローリングパネル(10)における温水配管(20)が並列状に配置されていることを特徴とする。
本発明は、温水供給本管(30)及び温水回収本管(40)の間を各温水配管(20)が並列状に配置されている。このため、各温水配管(20)に供給される温水は、常に、未だ温水配管(20)を通って温水配管(20)の内部で放熱していない新たな温水のみとなる。これにより、温水配管(20)同士の温度差を小さくすることができ、床面におけるフローリングパネル(10)間の温度差を小さくすることができ、床面を均一に暖めることができる。
【００１８】
請求項３記載の発明は、建物躯体の床となる床パネル(11)と、この床パネル(11)の上に位置して、内部に温水を通す温水配管(20)を有する複数枚の床暖房用のフローリングパネル(10)と、床パネル(11)の下に位置して温水配管(20)に供給接続配管(31)を介して温水を供給する温水供給本管(30)と、床パネル(11)の下に位置して温水本管を通った温水を回収接続配管(41)を介して回収する温水回収本管(40)とを備え、温水配管(20)の温水供給口(21)と温水供給本管(30)との間には、床パネル(11)を貫通する貫通孔(12)を通って両者を上下方向に連結する供給接続配管(31)が形成され、温水配管(20)の温水排出口(23)と温水回収本管(40)との間には、床パネル(11)を貫通する貫通孔(12)を通って両者を上下方向に連結する回収接続配管(41)が形成されている床暖房構造の施工方法であって、床パネル(11)に供給接続配管(31)及び回収接続配管(41)を通すための上下に貫通する貫通孔(12)を形成する工程と、前記貫通孔(12)を形成した後、フローリングパネル(10)を床パネル(11)上に固定する工程と、フローリングパネル(10)を固定した後、床下から温水配管(20)の一端を貫通孔(12)を通した供給接続配管(31)を介して温水供給本管(30)に接続し、かつ、床下から温水配管(20)の他端を貫通孔(12)を通した回収接続配管(41)を介して温水回収本管(40)に接続する工程と、温水配管(20)を温水供給本管(30)及び温水回収本管(40)に接続した後、温水供給本管(30)及び温水回収本管(40)を床パネル(11)の下面側に固定する工程とを備えたことを特徴とする。
【００１９】
本実施の形態に係る床暖房構造の施工手順について説明する。
先ず、最初に、床パネル(11)に供給接続配管(31)及び回収接続配管(41)を通すための上下に貫通する貫通孔(12)を形成する。
次に、貫通孔(12)を形成した後、フローリングパネル(10)を床パネル(11)上に固定する。
【００２０】
次に、フローリングパネル(10)を固定した後、床下から温水配管(20)の一端を供給接続配管(31)を介して温水供給本管(30)に接続し、かつ、床下から温水配管(20)の他端を回収接続配管(41)を介して温水回収本管(40)に接続する。
次に、温水配管(20)を温水供給本管(30)及び温水回収本管(40)に接続した後、温水供給本管(30)及び温水回収本管(40)を床パネル(11)の下面側に固定する。これにより、床暖房構造の施工が完了する。
【００２１】
【発明の実施の形態】
以下、本発明の実施の形態を図面に基づいて、更に詳しく説明する。
図１乃至図４は、本発明の第一の実施の形態であって、図１は床暖房構造の概略縦断面図、図２は床暖房構造の概略斜視図、図３はフローリングパネルの縦断面図、図４は床暖房構造の概略平面図をそれぞれ示す。
【００２２】
まず、本実施の形態の構成について説明する。
本実施の形態に係る床暖房構造は、床パネル11と、この床パネル11の上に位置して、複数枚の床暖房用のフローリングパネル10とを備えたものである。そして、このフローリングパネル10は、その内部に温水を通す温水配管20を予め備えていることを特徴とするものである。
【００２３】
前記床パネル11は、建物躯体の一階の床位置に形成される木質パネルであって、特に図示しないが、全体形状が四角枠状の枠部材と、この枠内を塞ぐ面状の面材とから形成されているものである。もちろん、取付可能な床パネル11は、一階の床パネル11に限定されるものではなく、二階以上の床パネル11でも良いものである。
【００２４】
この床暖房構造は、温水配管20に温水を供給する温水供給本管30と、この温水配管20から排出される温水を回収する温水回収本管40とを備えている。そして、各温水配管20の一方の端部は、温水供給本管30に接続されると共に、各温水配管20の他方の端部は、温水回収本管40に接続され、一本の温水供給本管30及び一本の温水回収本管40の間を各温水配管20が並列状に配置されている。なお、特に図示していないが、建物躯体の別の場所に固定されている温水発生装置に温水供給本管30の始端が接続され、この温水発生装置により温水供給本管30に温水が注入されている。また、温水回収本管40の終端が温水発生装置に接続され、放熱により低温となった温水を温水発生装置が回収して再度、高温の温水にして、温水供給本管30に注入することができるように形成されている。すなわち、温水は、全体として循環するように形成されているものである。
【００２５】
前記温水供給本管30及び温水回収本管40は、床パネル11の下面に縦断面形状が略Ｗ字状の本管固定具50により固定されている。そして、温水配管20の両端部をフローリングパネル10の裏面側に設けて、温水供給本管30または温水回収本管40に接続してある。具体的には、前記温水配管20は、フローリングパネル10の裏面側に位置して温水供給本管30から温水を供給する温水供給口21と、この温水供給口21から入った温水をフローリングパネル10の内部に全体形状がＵ字状に通して、フローリングパネル10の全面を暖めるパネル用配管22と、フローリングパネル10の裏面側に位置してパネル用配管22を通った温水を温水回収本管40に排出する温水排出口23とを備えている。
【００２６】
前記床パネル11は、温水供給口21及び温水排出口23の下方に向かって貫通する貫通孔12を備えている。前記温水供給口21と温水供給本管30との間には、貫通孔12を通って両者を上下方向に連結する供給接続配管31が形成され、温水排出口23と温水回収本管40との間には、貫通孔12を通って両者を上下方向に連結する回収接続配管41が形成されている。
【００２７】
前記フローリングパネル10は、その上面に位置して室内側に露出して表面を化粧する表面化粧材61と、この表面化粧材61の下面に位置して温水配管20からの熱を拡散するためのアルミ製からなる熱拡散シート62と、この熱拡散シート62の下に形成されると共に温水配管20を内部に有する断熱部材64と、この断熱部材64の下面に位置して断熱部材64及び温水配管20がばらけないようにするクラフト紙63とを備えている。なお、特に図示しないが、表面化粧材61の端縁等には、所定の幅を有する調整材が多数、形成されている。
【００２８】
次に、本実施の形態に係る床暖房構造の施工手順について説明する。
先ず、最初に、床パネル11に供給接続配管31及び回収接続配管41を通すための上下に貫通する貫通孔12を形成する。
次に、貫通孔12を形成した後、フローリングパネル10を床パネル11上に固定する。
【００２９】
次に、フローリングパネル10を固定した後、床下から温水配管20の一端の温水供給口21を供給接続配管31を介して温水供給本管30に接続し、かつ、床下から温水配管20の他端の温水排出口23を回収接続配管41を介して温水回収本管40に接続する。
次に、温水配管20を供給接続配管31及び回収接続配管41を介して温水供給本管30及び温水回収本管40に接続した後、温水供給本管30及び温水回収本管40を本管固定具50により床パネル11の下面側に固定する。これにより、床暖房構造の施工が完了する。
【００３０】
なお、上述した施工手順において、フローリングパネル10を床パネル11に固定した後、供給接続配管31及び回収接続配管41を介して温水供給本管30及び温水回収本管40に温水配管20を接続しているが、施工手順は、特にこれに限定されるものではない。例えば、フローリングパネル10を床パネル11に固定する前に、供給接続配管31及び回収接続配管41の上端側のみを温水供給口21及び温水排出口23に接続し、その後、かかる供給接続配管31及び回収接続配管41を貫通孔12を挿入して、床パネル11の下から、それらと、温水供給本管30及び温水回収本管40を接続しても良いものである。
【００３１】
次に、上記した実施の形態の作用及び効果について説明する。
本実施の形態は、フローリングパネル10の内部に温水を通す温水配管20を予め備えている。すなわち、温水配管20は、フローリングパネル10と予め一体化されている。このため、温水配管20をフローリングパネル10と別にした場合と比較して、部品点数を少なくすることができ、部品の管理や取り扱いを容易なものにすることができる。また、温水配管20がフローリングパネル10内にあるため、フローリングパネル10を床パネル11の上面に並べて固定するだけで、温水配管20も同時に並べて固定されたことになり、温水配管20のみを別途、並べて固定する場合と比較して組立作業の工程数も少なくすることができ、組立作業を容易にすることができる。
【００３２】
また、フローリングパネル10を固定するだけで、温水配管20の配置も終了するため、特別に配管作業専用の配管工により配管作業をする必要がなく、通常の大工のみによるフローリングパネル10の組立作業だけで済ませることができる。これにより、組立作業の工期を短縮することができる。本実施の形態は、温水供給本管30及び温水回収本管40の間を各温水配管20が並列状に配置されている。このため、各温水配管20に供給される温水は、常に、未だ温水配管20を通って温水配管20の内部で放熱していない新たな温水のみとなる。これにより、温水配管20同士の温度差を小さくすることができ、床面におけるフローリングパネル10間の温度差を小さくすることができ、床面を均一に暖めることができる。
【００３３】
本実施の形態によれば、温水供給本管30及び温水回収本管40は、床パネル11の下面に固定されている。このため、万が一、温水供給本管30または温水供給本管30から湯が漏れるようなことがあっても、建物躯体である床パネル11を濡らすことを防止することができる。これにより、建物躯体の防水性を担保することができる。
【００３４】
また、未使用時等に温水供給本管30及び温水回収本管40の表面周囲に大気中の水蒸気が凝結して水滴が付くような、いわゆる結露が発生しても、それらが建物躯体である床パネル11の下に位置しているため、かかる結露水が建物躯体に浸入することを抑えることができ、建物躯体の防水性を担保することができる。
本実施の形態は、フローリングパネル10の裏面側に温水供給口21を形成している。そして、床パネル11は、温水供給口21の下方に向かって貫通する貫通孔12を備えている。このため、床パネル11の下面に固定された温水供給本管30との間で、貫通孔12を介して供給接続配管31により上下方向に容易に両者を連結することができる。
【００３５】
また、本実施の形態は、フローリングパネル10の裏面側に温水排出口23を形成している。そして、床パネル11は、温水排出口23の下方に向かって貫通する貫通孔12を備えている。このため、床パネル11の下面に固定された温水回収本管40との間で、貫通孔12を介して回収接続配管41により上下方向に容易に両者を連結することができる。
【００３６】
すなわち、フローリングパネル10を床パネル11に載置する前に温水供給口21及び供給接続配管31、また、温水排出口23及び回収接続配管41を接続することができる。これは、フローリングパネル10を床パネル11に載置する前なので、両者の取付作業は容易に行うことができる。そして、供給接続配管31及び回収接続配管41を連結したフローリングパネル10を床パネル11上に載置することができる。その際、供給接続配管31及び回収接続配管41は貫通孔12の中に入れた状態にすることができる。このような、フローリングパネル10を床パネル11の上に載置した状態においても、作業者は、床パネル11の下側から、貫通孔12からでた供給接続配管31及び回収接続配管41を温水供給本管30及び温水回収本管40にそれぞれ容易に接続することができる。
【００３７】
次に、第二の実施の形態について説明する。
図５及び図６は、本発明の第二の実施の形態であって、図５は床暖房構造の概略斜視図、図６は床暖房構造の概略平面図をそれぞれ示す。
本実施の形態に係る床暖房構造は、パネル用配管22がフローリングパネル10の内部においてＷ字状に蛇行して配置されていることを特徴とするものである。このように、Ｗ字状に複数回、折り返して蛇行するようにフローリングパネル10の内部にパネル用配管22が形成されているため、フローリングパネル10の内部において、第一の実施の形態のＵ字状のものより、高密度かつ長い距離にパネル用配管22を敷くことができる。これにより、フローリングパネル10の表面の温度ムラの発生を抑え、フローリングパネル10の表面をより均一な温度に維持することができる。
【００３８】
なお、上述した第一及び第二の実施の形態において、パネル用配管22の形状は、Ｕ字状、Ｗ字状としているが、パネル用配管22の配置は特にこれに限定されるものではなく、他のジグザグ状、放射状、螺旋状等の他の形状に配置しても良いものである。
【００３９】
【発明の効果】
本発明は、以上のように構成されているので、以下に記載されるような効果を奏する。
請求項１記載の発明によれば、フローリングパネル内部に予め温水配管を設け、両者を一体としているため、部品点数を少なくし、部品の取り扱いも容易にすることができる上に、大工のみにより、施工することができて工期を短縮することができ、各フローリングパネルの温水配管の接続作業が容易であり、また建物躯体の防水性を担保することができる床暖房構造を提供することができる。
【００４０】
請求項２記載の発明によれば、温水配管を並列状に配置したことにより、温水配管の温度差を小さくし、床面を均一に暖めることができる床暖房構造を提供することができる。
【００４１】
請求項３記載の発明によれば、組立作業の工程数が少なく、容易に施工することができる床暖房構造の施工方法を提供することができる。
【図面の簡単な説明】
【図１】  本発明の第一の実施の形態であって、床暖房構造を示す概略縦断面図である。
【図２】  本発明の第一の実施の形態であって、床暖房構造を示す概略斜視図である。
【図３】  本発明の第一の実施の形態であって、フローリングパネルを示す縦断面図である。
【図４】  本発明の第一の実施の形態であって、床暖房構造を示す概略平面図である。
【図５】  本発明の第二の実施の形態であって、床暖房構造を示す概略斜視図である。
【図６】  本発明の第二の実施の形態であって、床暖房構造を示す概略平面図である。
【符号の説明】
10…フローリングパネル、11…床パネル、12…貫通孔、20…温水配管、21…温水供給口、22…パネル用配管、23…温水排出口、30…温水供給本管、31…供給接続配管、40…温水回収本管、41…回収接続配管、50…本管固定具、61…表面化粧材、62…熱拡散シート、63…クラフト紙、64…断熱部材。
【図１】
0003993318.tif 000002
【図２】
0003993318.tif 000003
【図３】
0003993318.tif 000004
【図４】
0003993318.tif 000005
【図５】
0003993318.tif 000006
【図６】
0003993318.tif 000007